(57)【要約】      （修正有）【課題】サイロの左右側面をそれぞれ上部、下部と４点で吊ることによって、サイロの工事現場での起立・倒しを安全かつ容易簡単に行い、かつ吊りワイヤーの取り付け・取り外しの際の作業者の転落を防止するポータブルサイロの吊り装置を提供する。【解決手段】サイロ１の左右側面にそれぞれ上下位置にコ字状の吊り金具１０、１１、１６、１７を取り付け、左右の上部の吊り金具１０、１６に取り付け取り外しが可能な上部吊りワイヤーを取り付け、かつ左右の下部吊り金具１１、１７に下部吊りワイヤーを取り付け、上下の２つの吊りワイヤーで４点吊りでサイロの起立・倒しを行う。【選択図】図２
0003176569.tif 000002
【実用新案登録請求の範囲】
【請求項１】
サイロの左右側面にサイロ断面直径最大径近辺で、かつ上部の適宜の位置にコ字状の吊り金具を一対取り付け、下部の適宜の位置に同様にコ字状の吊り金具を一対取り付け、上部の左右一対の吊り金具には着脱自在の嵌め金具を介して上部吊りワイヤーが取り付けられると共に一対の下部の吊り金具に下部吊りワイヤーが取り付けられ、上部吊りワイヤーと下部吊りワイヤーとで４点吊りによってサイロの起立・倒しを行うことを特徴とするポータブルサイロの吊り装置。
【考案の詳細な説明】
【技術分野】
【０００１】    本考案は、セメント、フライアッシュ、石灰粉、無水石膏等の粉体等を貯蔵し、かつ計量して排出することのできるサイロであり、特に工事期間だけ現場に運搬設置し、工事後は撤去するポータブルサイロの吊り装置に関する。
【背景技術】
【０００２】  従来は特公平３−９０３６号公報に示されるように、セメント混合材を必要とする工事現場等においては、工事期間だけ現場に設置するセメントサイロが必要であり、そのためセメントサイロはトラックで運搬され現場で設置される。現場に運ばれたときは安定台を下にして横長の寝かされた形態で置かれた後、筒状のバグフィルタの大径突起の箇所にワイヤーを引っ掛けクレーンで持ち上げ起立させるものである。
この従来例のものは、起立させた後、サイロの頂部に昇りワイヤーを外すとき、作業者が転落する事故が頻繁に起こるという不具合があった。【０００３】
【特許文献】  特公平３−９０３６号公報
【考案の概要】
【考案が解決しようとする課題】
【０００４】  本考案は、従来の不具合に鑑み、セメントサイロがトラックで運搬され現場で設置されるとき、クレーン等でワイヤーを介して容易に吊り上げられ、かつ現場で起立させた後、サイロの頂部に登ることなくクレーンで引っ掛けたワイヤーを取りはずし、撤去するときはサイロの頂部に登ることなくクレーンに引っ掛けるワイヤーをサイロに取り付けて吊り上げ運搬車両に積載できるサイロの吊上げ装置を提供することにある。
【課題を解決するための手段】
【０００５】  本考案は、サイロを起立させた状態で左側面と右側面のサイロ上部と下部にそれぞれコ字状の吊り金具を取り付け、かつサイロが運搬架台を下にして寝かせた状態でみたときサイロのほぼ断面直径近辺箇所にそれぞれのコ字状の吊り金具を取りつける。そして左右の上部吊り金具に上部吊りワイヤーを架け、さらに左右の下部吊り金具に下部吊りワイヤーを架けてサイロの起立・倒しをクレーンなどで行う。上部吊りワイヤーは、設置したのちは脚立等で外し、倒す時はとりつける。下部の吊りワイヤーは取り付けたままとする。
【考案の効果】
【０００６】  本考案は、上述したようにサイロの上部の左右面側に、そして下部の左右面側にそれぞれコ字状の吊り金具を取り付け、サイロを上下２箇所、４点吊りとしたので、簡単な構造で安全にサイロを起立・倒しができる。上部の吊りワイヤーはコ字状の金具としているので、サイロが起立したときは、吊り金具の下の方に落ちているので脚立などで簡単に外せる。取り付けるときも同様である。このような構造であるから従来のように、起立させたとき、また倒すとき、サイロの頂部に登ってワイヤー懸け・外し作業のときの転落を防止できる。
【図面の簡単な説明】
【０００７】
【図１】本考案の一実施例のサイロの撤去状況を簡単に説明する説明図
【図２】本考案の一実施例で吊り金具を左側面に取り付けた状態と右側面に取り付けた状態を示す説明図
【図３】本考案の一実施例で吊り金具を左側面・右側面に取り付けた状態を平面からと底面から見た状態を示す説明図
【考案を実施するための形態】
【実施例】
【０００８】  本考案の一実施例を図面に基づいて詳細に説明する。
図１は、サイロタンクの撤去の状態を簡略な図によって説明する図で、１はサイロタンク（以下サイロという）、２はサイロ１のコ字状の金具２点に取り付けられた上部吊りワイヤー、３は同様に取り付けられたサイロ１の下部吊りワイヤー、４はクレーン、５は運搬車両で、６はクレーン４の上部用の吊りワイヤー、７はクレーン４の下部用の吊りワイヤーある。コ字状の吊り金具は説明上黒丸で示す。吊り同図（ａ）は撤去開始でクレーン４の上部用ワイヤー６を前記サイロ１の上部吊りワイヤーに懸けている状態を示す。同図（ｂ）はクレーン４の上部用吊りワイヤー６と下部吊りワイヤー７がそれぞれサイロの吊りワイヤー２，３を介してサイロをクレーン４で倒している状態を示す。同図（ｃ）はサイロが地上に寝かされた状態の仮置きを示す。同図（ｄ）は敷板８を撤去した状態を示す。
同図（ｅ）は、クレーン４のワイヤー６でサイロ１の上部・下部ワイヤー２・３を引っ掛けて吊り上げる状態を、同図（ｆ）は運搬車両８に横積載した状態を示し、同図（ｇ）はサイロ１の積載終了を示し、同図（ｈ）はサイロ１を運搬車両８に固定して搬出する状態を示す。サイロ１を工事現場に持ち込んで設置する場合は上述と逆の作業となる。【０００９】  図２を参照して説明する。同図（ａ）は左側面から見た状態を示す。適宜の位置、例えばサイロ１に外付け配置された計量槽（図示しない）のセメント排出口９近辺にサイロ１の縦長方向に長さ略２ｍのコ字状に取り付けられた上部吊り金具１０があり、その下方に適宜な距離をおいて適宜な位置に同様に長さ１．５ｍのコ字状の下部吊り金具１１が取りつけられている。
上部のコ字状の吊り金具１０を概略説明すると、上方の端部はサイロ１の上部に直径２．５ｃｍの半円形で先端はサイロ１に固着されている。この先端部にサイロ１に平行に長尺体の金属棒がサイロ１に対し約２．８ｃｍ浮いた上体で垂れ下るように２ｍ伸び、他方の端部は上記と同様に直径２．５ｃｍの半円形で先端はサイロ１に固着されている。下部吊り金具１１は長さが１．５ｍでサイロ１の底から５０ｃｍの位置まで伸びており他の部分は同様な形状である。
１２は点検用の梯子で頂部まで架けられている。１３はサイロ１の頂部に配置されたバグフィルタで、１４は計量指示器で外部に排出する計量槽内のセメントの量の計量数値が表示される。１５は計量槽を覆うとともに横倒しにしたときの運搬架台を兼ねるカバー部である。同図（ｂ）が斜視状態を示す。同図（ｃ）は右側面から見た状態を示し、前記上部吊り金具１０と下部吊り金具１１に対応した上下関係に取り付けられた上部吊り金具１６と下部吊り金具１７で同様に縦長のコ字状の形状をしている。サイロ１の左右側面に上下に一対の吊り金具１０・１６と１１・１７が適宜に取りつけられる。【００１０】  図３の図（ａ）はサイロ１の平面から見た状態を示し、１８は計量槽であり、図示のように左側面の上部吊り金具１０と右側の上部吊り金具１６がサイロ１の断面直径のほぼ大径で少し角度を上下にずらして配置される。このように左右の吊り金具１０・１６と１１・１７をそれぞれ上下角度をずらすことによって上下吊りワイヤー２・３の一部分がサイロに当接することになり、起立・倒しのクレーン操作が安定する。の同図（ｂ）はサイロ１の底面から見た状態を示し、１９は横送りスクリュー装置、２０は計量槽１８にセメントを送り込む縦送りスクリュー装置、２１はサイロ１の濾斗状に絞り込まれたコーン部である。左側面の下部吊り金具１１と右側面の下部吊り金具１７が上記の図（ａ）と逆の上下関係の角度状態で示される。左右どちらの側の吊角度を上下にするかは必要に応じて適宜に決める。【００１１】  図４は、説明上、左側面・右側面の上部吊り金具１０・１１と下部吊り金具１６・１７がそれぞれ中央に近い状態で示される。一対の上部吊り金具１０と１６には、着脱自在の嵌め金具（図示しない）を介して上部吊りワイヤー２（長さ約５ｍ程度）が取り付けられる。上述したように上部吊りワイヤー２はサイロ１が起立したときは取り外される。一対の下部吊り金具１１・１７には下部吊りワイヤー３（長さ約１０ｍ）が取りつけられる。着脱自在の嵌め金具で適宜取り付けられてもよい。この下部吊りワイヤー３ー３は起立して設置が終わると外さずに邪魔にならないように適宜な方法でサイロ１に取り付け処理される。上述したように上部吊りワイヤー２と下部吊りワイヤー３とを使ってサイロ１をクレーン４を操作して運搬車両８に積載・積み降ろし作業を行い、サイロ１を工事現場で起立・倒しを行う。【００１２】  このようにサイロ１にコ字状の左右側面に取り付けた上下の一対の吊り金具１０・１１と１６・１７と共に上部下部吊りワイヤー２・３をそれぞれ取り付けたことにより、サイロ１を倒すとき安全にかつスムーズにクレーン操作ができる。左右側面の吊り金具１０・１１と１６・１７をそれぞれサイロ１の断面直径大径近辺で上下角度を少し上下にずらして取り付け配置することによってクレーン操作が安定し、サイロ１の起立・倒しが安全かつ容易にできる。また上部吊りワイヤー２はサイロ１の頂部に登って取り外す必要がなく、低位置から脚立等で簡単・安全・容易に取り付け・取り外しができるので作業者の転落事故が防止できる効果がある。
【産業状の利用可能性】
【００１３】  上記本考案の一実施例として粉体としてセメントで説明したが、フライアッシュ、石灰粉、無水石膏等の粉体の貯蔵・排出する分野で適用可能である。
【符号の説明】
【００１４】１…サイロ
２，３…上部下部吊りワイヤー
１０・１６…上部吊り金具
１１・１７…下部吊り金具
【図１】
0003176569.tif 000003
【図２】
0003176569.tif 000004
【図３】
0003176569.tif 000005
【図４】
0003176569.tif 000006
【手続補正書】
【提出日】平成24年4月26日(2012.4.26)
【手続補正１】
【補正対象書類名】明細書
【補正対象項目名】０００７
【補正方法】変更
【補正の内容】
【０００７】
【図１】本考案の一実施例のサイロの撤去状況を簡単に説明する説明図
【図２】本考案の一実施例で吊り金具を左側面に取り付けた状態と右側面に取り付けた状態を示す説明図
【図３】本考案の一実施例で吊り金具を左側面・右側面に取り付けた状態を平面からと底面から見た状態を示す説明図
【図４】本考案の一実施例で吊り金具と吊りワイヤーとの関係を説明する説明図